(57)【要約】      （修正有）【課題】草刈機に用いられる切断用の紐状部材の劣化を抑制できる紐状部材保持具を提案する。【解決手段】紐状部材保持具１１は、草刈機の備える回転軸に連結するための連結部２１と、少なくとも１つの切断用紐状部材１２を保持可能に構成された保持部と、保持部の上部に配置され、連結部２１を中心に、連結部２１が回転軸に連結された状態における回転軸の軸方向と交差する方向に拡がる略円板状の保護部２３と、を備える。連結部２１は、平面２１ａと、平面２１ａの中央に形成される貫通孔２１ｂと、を有し、回転軸の先端を貫通孔２１ｂに挿入した状態で、留め金具等にて平面２１ａを挟み込み、ボルトを回転軸に締着することで、紐状部材保持具１１は回転軸に固定される。【選択図】図２
0003211076.tif 000002
【実用新案登録請求の範囲】
【請求項１】
草刈機に取り付けて用いられる紐状部材保持具であって、
前記草刈機の備える回転軸に連結するための連結部と、
少なくとも１つの切断用紐状部材を保持可能に構成された保持部と、
前記保持部の上部に配置され、前記連結部を中心に、該連結部が前記回転軸に連結された状態における前記回転軸の軸方向と交差する方向に拡がる保護部と、を備える紐状部材保持具。
【請求項２】
請求項１に記載の紐状部材保持具であって、
前記保護部は、略円板状の形状である、紐状部材保持具。
【請求項３】
請求項１又は請求項２に記載の紐状部材保持具であって、
前記保護部における下側の面は、前記連結部から離れた位置ほど上方に位置するように構成されている、紐状部材保持具。
【請求項４】
請求項１から請求項３のいずれか１項に記載の紐状部材保持具であって、
前記保護部は、前記連結部から離れた外縁側の端部において上方向に曲がる曲面である曲面部を備える、紐状部材保持具。
【請求項５】
請求項１から請求項４のいずれか１項に記載の紐状部材保持具であって、
前記保持部は、前記切断用紐状部材を巻き付け可能に構成された、前記軸方向に延びる外周面を有する筒状体と、該筒状体の前記外周面から外向きに張り出し、該筒状体の周方向に拡がる仕切板と、を有しており、
前記仕切板には、前記切断用紐状部材を係止可能に構成された係止部が設けられている、紐状部材保持具。
【請求項６】
請求項５に記載の紐状部材保持具であって、
前記係止部は、切欠き形状である、紐状部材保持具。
【請求項７】
請求項１から請求項６のいずれか１項に記載の紐状部材保持具であって、
前記切断用紐状部材が外部に向かって延び出すときの前記軸方向に関する位置を案内する案内部を備える、紐状部材保持具。
【請求項８】
請求項７に記載の紐状部材保持具であって、
前記案内部は、該案内部によって案内された位置から前記軸方向と直交する方向に伸ばした前記切断用紐状部材と、前記保護部の外縁端部と、の前記軸方向の距離が、１５ｍｍ〜２５ｍｍの範囲となるように構成されている、紐状部材保持具。
【請求項９】
請求項１から請求項８のいずれか１項に記載の紐状部材保持具と、
前記保持部に保持される前記切断用紐状部材と、を備える草刈刃。
【考案の詳細な説明】
【技術分野】
【０００１】
本開示は、雑草などの刈り取りを行う草刈機にて用いられる紐状部材保持具に関する。
【背景技術】
【０００２】
手持ち式の草刈機として、操作用ハンドルとエンジンなどの駆動源を有するものが用いられている。このような草刈機には、金属製の草刈刃のほか、例えばナイロンコードなどの切断のための紐状部材を備える草刈刃を回転軸に取り付けるものが用いられている（例えば特許文献１参照）。
【先行技術文献】
【特許文献】
【０００３】
【特許文献１】特開昭５７−５６０８号公報
【考案の概要】
【考案が解決しようとする課題】
【０００４】
上述した紐状部材は、例えば金属製の草刈刃と比較して劣化が早い場合があった。本考案の考案者は、紐状部材では切断が困難であったり、そもそも草刈等の作業の対象でなかったりする障害物、例えば、太い茎や木、金属やコンクリート製の設置物等に紐状部材が絡みつくことで、紐状部材が切断されたり傷ができたりして、劣化が早まるという問題を発見した。
【０００５】
本開示の目的は、切断用の紐状部材の劣化を抑制できる技術を提案することである。
【課題を解決するための手段】
【０００６】
上述した問題を解決するためになされた本考案の一態様は、草刈機にて用いられる紐状部材保持具である。この紐状部材保持具は、上記草刈機の備える回転軸に連結するための連結部と、少なくとも１つの切断用紐状部材を保持可能に構成された保持部と、上記保持部の上部に配置され、上記連結部を中心に、上記連結部が上記回転軸に連結された状態における上記回転軸の軸方向と交差する方向に拡がる保護部と、を備える。
【０００７】
このような紐状部材保持具は、草刈作業等の対象でない障害物等に保護部が当接することで、障害物と紐状切断用部材とが接近しすぎることが抑制されることにより、障害物への紐状切断用部材の絡みつきが抑制される。よって、紐状切断用部材の劣化を抑制することができる。
【０００８】
なお、上述した保護部は、略円板状の形状としてもよい。このような形状であれば、保護部と障害物とが当接したときに、それらに傷がついたり破損したりしてしまうことを抑制できる。
【０００９】
また上記保護部は、上記連結部から離れた外縁側の端部において上方向に曲がる曲面である曲面部を備えていてもよい。このような構成であれば、上述した傷や破損の発生を高度に抑制することができる。
【００１０】
また上記保護部における下側の面は、上記連結部から離れた位置ほど上方に位置するように構成されていてもよい。このような形状であれば、紐状切断用部材の上下運動を適切な範囲に制限できる。
【００１１】
また上記保持部は、上記切断用紐状部材を巻き付け可能に構成された、上記軸方向に延びる外周面を有する筒状体と、該筒状体の上記外周面から外方向に張り出し、該筒状体の周方向に拡がる仕切板と、を有していてもよい。また、上記仕切り板には、上記切断用紐状部材を係止可能に構成された係止部が設けられていてもよい。
【００１２】
このような構成であれば、仕切板によって筒状体の外表面が複数の領域に分けられる。そのため、例えば１つの切断用紐状部材の一端側部分と他端側部分、或いは異なる複数の切断用紐状部材を、仕切板によって分けられた別の領域に巻き付けることで、切断用紐状部材の絡まりを抑制し、使用時の引き出しを容易にすることができる。また係止部によって切断用部材を係止することができるため、例えばサイズの異なる複数の切断用紐状部材を保持部に保持させることができる。この係止部は、切欠き形状とすることができる。
【００１３】
また、切断用紐状部材が外部に向かって延び出すときの上記軸方向に関する位置を案内する案内部を備えていてもよい。またこの案内部は、該案内部によって案内された位置から上記軸方向と直交する方向に伸ばした切断用紐状部材と、保護部の外縁端部と、の軸方向の距離が、１５ｍｍ〜２５ｍｍの範囲となるように構成されていてもよい。
【００１４】
また、本考案の異なる態様は、上述した紐状部材保持具と、上記保持部に保持される上記切断用紐状部材と、を備える草刈刃である。このような草刈刃であれば、上記紐状部材保持具と同様の作用、効果を奏することができる。
【図面の簡単な説明】
【００１５】
【図１】草刈刃を示す図であって、図１Ａが正面図であり、図１Ｂが側面図である。
【図２】草刈刃を示す図であって、図２Ａが平面図であり、図２Ｂが底面図である。
【図３】草刈刃を草刈機に取り付けた状態を示す側面図である。
【図４】紐状部材保持具を示す図であって、図４Ａが下方から見た斜視図であり、図４Ｂが上方から見た斜視図である。
【図５】仕切板を示す平面図である。
【図６】保護部の外縁側を示す断面図である。
【図７】回転中の紐状部材保持具を示す図である。
【図８】草刈刃の使用状態を説明する図である。
【図９】切断用紐状部材の上下動作を説明する図である。
【考案を実施するための形態】
【００１６】
以下に本開示の実施形態を図面と共に説明する。
［実施形態］
（１）草刈刃の構成
図１Ａ，Ｂ及び図２Ａ，Ｂに、本実施形態の草刈刃１を示す。草刈刃１は、図３に示されるように、草刈機３に取り付けて用いられる。なお以下の説明において、草刈刃１及び後述する紐状部材保持具１１の上下の方向は、草刈機３を使用する状態での上下を意味する。即ち、下方向とは、草刈刃１を草刈機３に取り付けて通常の態様で使用する場合において地面側となる方向である。
【００１７】
草刈刃１は、紐状部材保持具１１と、切断用紐状部材１２と、を備える。本実施形態における切断用紐状部材１２は、いわゆるナイロンコードである。即ち草刈刃１は、いわゆるナイロンカッターとしての機能を有する。
【００１８】
（２）紐状部材保持具の構成
図４Ａ，Ｂに、紐状部材保持具１１の斜視図を示す。紐状部材保持具１１は、図２Ａに示される連結部２１と、図４Ａ，Ｂに示される保持部２２と、保護部２３と、接続部２４と、を備える。
【００１９】
連結部２１は、草刈機３の備える回転軸３５に連結可能に構成されている。連結部２１は、平面２１ａと、平面２１ａの中央に形成される貫通孔２１ｂと、を有している。貫通孔２１ｂの中心を通過する仮想的な線が、草刈刃１が回転する際の回転軸Ｚとなる。この回転軸Ｚは、草刈刃１が草刈機３に取り付けられた状態における草刈機３の回転軸３５の中心軸と一致する。
【００２０】
草刈機３は、図３に示されるように、エンジン３１、パイプシャフト３３、回転軸３５、パイプシャフト３３の内部に配置される図示しない伝達軸などを備える。エンジン３１は、パイプシャフト３３の内部の伝達軸を回転させ、この伝達軸を介して回転軸３５を回転させる。
【００２１】
草刈刃１は、紐状部材保持具１１を回転軸３５に固定することにより草刈機３に取り付けられる。
回転軸３５の先端（下端）を連結部２１の貫通孔２１ｂに挿入した状態で、留め金具３７等にて平面２１ａを挟み込み、ボルト３９を回転軸３５に締着することで、紐状部材保持具１１は回転軸３５に固定され、回転軸３５と一体に回転するようになる。
【００２２】
上述したように草刈刃１を草刈機３に取り付けた状態でエンジン３１を駆動させると、回転軸３５が回転し、それに伴い草刈刃１が回転して、切断用紐状部材１２が外側に広がった状態となり、雑草などを刈り取ることができるようになる。
【００２３】
保持部２２は、少なくとも１つの切断用紐状部材１２を保持可能に構成されている。保持部２２は、回転軸Ｚを中心軸として上下方向、つまり回転軸Ｚの軸方向に延びる外周面を有する筒状体４１を有している。この筒状体４１は、切断用紐状部材１２を巻き付け可能に構成されている。また、筒状体４１の上下方向の略中央に、筒状体４１の外周面から外向きに張り出し、筒状体４１の周方向に拡がる仕切板４２が設けられている。
【００２４】
仕切板４２は、図５に示されるように、それ自体は中央に開口を有する円板状の部材であって、外縁から中心方向に向かって延びる切欠き状の２つの切欠き部４４と、その周囲に配置される複数の貫通穴４５と、が形成されている。切断用紐状部材１２は、切欠き部４４を使用して仕切板４２に係止させることができる。具体的には、切欠き部４４にて、切断用紐状部材１２の長さ方向の中央部分を折り曲げ、一方を筒状体４１の上側に、他方を筒状体４１の下側に巻き付けることで係止が実現される。切欠き部４４が、係止部に相当する。
【００２５】
筒状体４１の下端には、フランジ状に広がりつつ、外側ほど上に傾斜する底面部４３が形成されている。
図１Ａ，Ｂに示されるように切断用紐状部材１２は仕切板４２を境に上下に分かれて筒状体４１に保持される。上側に配置される切断用紐状部材１２は、仕切板４２と保護部２３との間に収容され、下側に配置される切断用紐状部材１２は、仕切板４２と底面部４３との間に収容される。
【００２６】
保護部２３は、保持部２２の上部に配置され、連結部２１を中心に、回転軸Ｚの軸方向と交差する方向に拡がる略円板状の部材である。連結部２１は、保護部２３の中央に形成されている。
【００２７】
保護部２３における下側の面２３ａは、図１Ａ，Ｂ等に示されるように、連結部２１から離れた位置ほど上方に位置するように構成されている。
また保護部２３は、図６に示されるように、連結部２１から離れた外縁側の端部において、上方向に曲がる曲面である曲面部５１を備える。
【００２８】
接続部２４は、保護部２３の一部が下方向に突出すると共に、底面部４３の一部が上方向に突出し、それらが接続することで形成される。接続部２４は、回転軸Ｚを中心に、所定の角度間隔で６箇所に形成されている。
【００２９】
この接続部２４は、回転軸Ｚから離れる方向へ延び出す切断用紐状部材１２と当接することにより、回転軸Ｚを中心とする円周方向への切断用紐状部材１２の変位を所定の範囲内に制限する。
【００３０】
即ち、隣接する接続部２４同士の間には、それら接続部２４と、保護部２３及び底面部４３により開口５２が形成され、切断用紐状部材１２はいずれかの開口５２から外部に延び出すこととなるが、その開口５２により自由な変位が制限される。
【００３１】
また、接続部２４は、上下方向の一部が細くなった案内部２４ａとなっている。案内部２４ａは、紐状部材保持具１１が回転しているときには、図７に示すように、切断用紐状部材１２が外部に向かって延び出すときの上下方向（軸方向）に関する位置を案内する。
【００３２】
案内部２４ａに案内される上下方向の位置は特に限定されないが、例えば、案内部２４ａは、該案内部２４ａによって案内された位置から軸方向と直交する方向に伸ばした切断用紐状部材１２と、保護部２３の外縁端部２３ｂと、の軸方向の距離Ｌが、１５ｍｍ〜２５ｍｍの範囲となるように構成することができる。
【００３３】
なお、切断用紐状部材１２が使用による磨耗等により短くなったときなどには、切断用紐状部材１２が延び出す開口５２を別の開口５２に変えることで、開口５２から延び出す長さを調整することができる。例えば、ある開口５２から切断用紐状部材１２が延び出している場合に、その開口５２と隣接するいずれかの開口５２に変えた場合、開口５２から延び出す切断用紐状部材１２の長さが、１ノッチ分、長く又は短くなる。
【００３４】
（３）効果
（３Ａ）本実施形態の草刈刃１では、図８に示されるように、保護部２３により、刈取の対象ではない障害物１０１に切断用紐状部材１２が接触しにくくなる。そのため、切断用紐状部材１２が障害物１０１に接触して巻きついたり傷がついたりする危険が低減され、切断用紐状部材１２の早期の劣化を抑制することができる。
【００３５】
（３Ｂ）保護部２３は略円板状の形状であり、さらに外縁側の端部には曲面部５１が形成されているため、保護部２３が障害物１０１と接触してしまったときに、保護部２３及び障害物１０１のいずれに対しても破損が生じてしまうことを抑制できる。これにより、作業の安全性を向上することができる。
【００３６】
なお、切断用紐状部材１２の引き出し長さを、保護部２３の外縁からはみ出さない長さとすることで、高度に切断用紐状部材１２の劣化の抑制を実現できると共に、障害物となる木などの損傷も抑制することができる。
【００３７】
（３Ｃ）保護部２３における下側の面２３ａは、上記連結部２１から離れた位置ほど上方に位置する。そのため、図９に示されるように、切断用紐状部材１２の先端側ほど大きくなる切断用紐状部材１２の上下運動を制限しすぎることない。
【００３８】
また切断用紐状部材１２と面２３ａとを適度な距離に保つことにより、刈り取った草が、上方向、即ち作業者側に飛散してしまうことを抑制できる。保護部２３を有しない従来品では、広範囲に草が飛散してしまうが、草刈刃１は飛散範囲を小さくでき、作業者の安全性を向上できる。
【００３９】
（３Ｄ）仕切板４２によって筒状体４１の外表面が複数の領域に分けられるため、１つの切断用紐状部材１２の一端側部分と他端側部分を、仕切板４２によって上下に分けられた別の領域に巻き付けることができる。これにより、切断用紐状部材１２の絡まりを抑制するとともに、使用時の切断用紐状部材１２の引き出し操作を容易にすることができる。
【００４０】
また切欠き部４４に掛けることで切断用紐状部材１２を保持できるため、サイズや性質の異なる複数種類の切断用紐状部材１２を保持部２２に保持させることができる。
（３Ｅ）切断用紐状部材１２は、使用時においては、案内部２４ａによって適当な高さに案内される。よって切断用紐状部材１２の高さのばらつきが抑制され、好適に草刈り作業を行うことができる。
【００４１】
また距離Ｌを１５〜２５ｍｍとすることで、刈作業中に切断用紐状部材１２が大きく上方へ逃げてしまうことで草等の切断性能が低下し易くなることを抑制できる。また切断用紐状部材１２の先端が上に上がったときには、図９に示すようなＲ部分（図中、切断用紐状部材１２が曲がっている部分）で草を刈り取ることができる。このとき、草は横になるため、根元部分に切断用紐状部材１２が当たり、効果的に草刈りを実行できる。
【００４２】
［その他の実施形態］
以上、本考案の実施形態について説明したが、本考案は、上記実施形態に何ら限定されることはなく、本考案の技術的範囲に属する限り種々の形態をとり得ることはいうまでもない。
【００４３】
（４Ａ）草刈機３と連結するための連結部２１の形状、構造は特に限定されず、回転軸３５に連結可能であり、連結された状態で回転軸３５とともに回転可能となるならば、様々な構成を採用することができる。
【００４４】
（４Ｂ）保持部２２の構成は、切断用紐状部材１２を保持可能であれば、様々な構成とすることができる。例えば、筒状体４１の形状は円筒形でなくともよく、また、仕切板４２は有していなくてもよい。
【００４５】
（４Ｃ）保護部２３は、保持部２２の上部に配置されて回転軸Ｚと交差する方向に拡がっていれば、その具体的な形状や構成は特に限定されない。例えば、円板状でなくともよいし、外側ほど上側に位置する形状でなくてもよい。また、曲面部５１が形成されていなくともよい。
【００４６】
（４Ｄ）案内部２４ａは、接続部２４における細くなった部分である構成を例示したが、少なくとも、作業時、即ち紐状部材保持具１１が回転しているときに切断用紐状部材１２の位置を案内できれば、その具体的な構成は特に限定されない。例えば、常に位置を案内する構成であってもよい。また距離Ｌは、１５ｍｍ以下、２５ｍｍ以上であってもよい。また、案内部２４ａは設けられていなくてもよい。
【符号の説明】
【００４７】
１…草刈刃、３…草刈機、１１…紐状部材保持具、１２…切断用紐状部材、２１…連結部、２１ａ…平面、２１ｂ…貫通孔、２２…保持部、２３…保護部、２３ａ…面、２４…接続部、２４ａ・・・案内部、３１…エンジン、３３…パイプシャフト、３５…回転軸、３７…金具、３９…ボルト、４１…筒状体、４２…仕切板、４３…底面部、４４…切欠き部、４５…貫通穴、５１…曲面部、５２…開口、１０１…障害物、Ｚ…回転軸。
【図１】
0003211076.tif 000003
【図２】
0003211076.tif 000004
【図３】
0003211076.tif 000005
【図４】
0003211076.tif 000006
【図５】
0003211076.tif 000007
【図６】
0003211076.tif 000008
【図７】
0003211076.tif 000009
【図８】
0003211076.tif 000010
【図９】
0003211076.tif 000011